(57)【要約】  吸込口（１１）および吹出口（１２）を有するハウジング（１）と、ハウジング（１）の内部に配置され、かつ帯電粒子を発生させるための帯電粒子発生部（１３）と、ハウジング（１）の内部に配置され、かつ吹出口（１２）からハウジング（１）の外部に向けて、帯電粒子を送出させるための送風部（１４）と、ハウジング（１）の外部に配置される頭皮接触体（３）と、を備え、頭皮接触体（３）のうち、少なくとも使用者の頭皮に接触する接触部は、吹出口からハウジングの外部へと送出される帯電粒子の流路内に位置する、頭皮環境改善装置である。
2018042698.tif 000002
【特許請求の範囲】
【請求項１】
吸込口および吹出口を有するハウジングと、
前記ハウジングの内部に配置され、かつ帯電粒子を発生させるための帯電粒子発生部と、
前記ハウジングの内部に配置され、かつ前記吹出口から前記ハウジングの外部に向けて、前記帯電粒子を送出させるための送風部と、
前記ハウジングの外部に配置される頭皮接触体と、を備え、
前記頭皮接触体のうち、少なくとも使用者の頭皮に接触する接触部は、前記吹出口から前記ハウジングの外部へと送出される前記帯電粒子の流路内に位置する、頭皮環境改善装置。
【請求項２】
前記頭皮接触体は、複数の棒状部を有し、前記接触部は、前記棒状部の先端部分である、請求項１に記載の頭皮環境改善装置。
【請求項３】
前記棒状部は、長手方向に湾曲している、請求項１または請求項２に記載の頭皮環境改善装置。
【請求項４】
前記接触部と前記吹出口との距離は、１５ｃｍ以下である、請求項１から請求項３のいずれか１項に記載の頭皮環境改善装置。
【請求項５】
前記頭皮接触体を取り囲むカバー体を備える、請求項１から請求項４のいずれか１項に記載の頭皮環境改善装置。
【請求項６】
請求項１から請求項５のいずれか１項に記載の頭皮環境改善装置を用いた頭皮環境改善方法であって、
前記頭皮接触体を前記頭皮に接触させた状態で、前記帯電粒子を前記頭皮に送出させる、頭皮環境改善方法。
【発明の詳細な説明】
【技術分野】
【０００１】
本発明は、頭皮環境改善装置および頭皮環境改善方法に関する。本出願は、２０１６年９月２日に出願した日本特許出願である特願２０１６−１７１５８５号に基づく優先権を主張する。当該日本特許出願に記載された全ての記載内容は、参照によって本明細書に援用される。
【背景技術】
【０００２】
従来より、ヘアケア装置として、濡れた毛髪を乾かすためのドライヤーが広く知られている。これに対し近年、頭皮をケアする装置が提案されている。たとえば、特許文献１（特開２０１０−１３１２５９号公報）には、変則的な送風によって頭皮上の毛髪を掻き分けながら、該送風を頭皮に吹き付ける頭皮ケア装置が開示されている。特許文献１によれば、このような送風により、頭皮に対する高いマッサージ効果が得られるとされている。
【先行技術文献】
【特許文献】
【０００３】
【特許文献１】特開２０１０−１３１２５９号公報
【発明の概要】
【発明が解決しようとする課題】
【０００４】
しかし、変則的な送風により毛髪を掻き分けた場合、毛髪の絡まりが生じる恐れがある。毛髪の絡まりは、頭皮環境の悪化を引き起こすと考えられる。また、送風による頭皮のマッサージ効果では、頭皮環境の改善が充分でない場合がある。このように、従来の技術では、頭皮環境を十分に改善し得るような装置は提供されていない。【０００５】
そこで本発明は、頭皮環境を改善可能な頭皮環境改善装置および頭皮環境改善方法を提供することを目的とする。
【課題を解決するための手段】
【０００６】
本発明の一態様は、吸込口および吹出口を有するハウジングと、ハウジングの内部に配置され、かつ帯電粒子を発生させるための帯電粒子発生部と、ハウジングの内部に配置され、かつ吹出口からハウジングの外部に向けて、帯電粒子を送出させるための送風部と、ハウジングの外部に配置される頭皮接触体と、を備え、頭皮接触体のうち、少なくとも使用者の頭皮に接触する接触部は、吹出口からハウジングの外部へと送出される帯電粒子の流路内に位置する、頭皮環境改善装置である。【０００７】
上記頭皮環境改善装置は、複数の棒状部を有し、接触部は、棒状部の先端部分であることが好ましい。【０００８】
上記頭皮環境改善装置において、棒状部は、長手方向に湾曲していることが好ましい。
上記頭皮環境改善装置において、接触部と吹出口との距離は、１５ｃｍ以下であることが好ましい。【０００９】
上記頭皮環境改善装置は、頭皮接触体を取り囲むカバー体を備えることが好ましい。
本発明の別の一態様は、上記頭皮環境改善装置を用いた頭皮環境改善方法であって、頭皮接触体を頭皮に接触させた状態で、帯電粒子を頭皮に送出させる、頭皮環境改善方法である。
【発明の効果】
【００１０】
本発明によれば、頭皮環境を改善可能な頭皮環境改善装置および頭皮環境改善方法を提供することができる。
【図面の簡単な説明】
【００１１】
【図１】実施の形態１の頭皮環境改善装置を示す側面図である。
【図２】実施の形態１の頭皮環境改善装置を示す斜視図である。
【図３】実施の形態１の頭皮環境改善装置を示す断面図である。
【図４】実施の形態１の頭皮環境改善装置において、頭皮接触体がハウジングから分離された状態を示す斜視図である。
【図５】吹出口の外径を説明するための模式的な斜視図である。
【図６】実施の形態２の頭皮環境改善装置を示す斜視図である。
【図７】実施の形態３の頭皮環境改善方法を実施する態様を示す模式図である。
【図８】実施の形態３の頭皮環境改善方法における頭皮近傍の状態を示す模式図である。
【図９】検討１における頭皮の水分量の評価結果を示すグラフである。
【図１０】検討１における頭皮の油分量の評価結果を示すグラフである。
【図１１】検討１における官能評価１の評価結果を示すグラフである。
【図１２】検討１における官能評価２の評価結果を示すグラフである。
【図１３】検討２における頭皮の水分量の評価結果を示すグラフである。
【図１４】検討２における頭皮の油分量の評価結果を示すグラフである。
【図１５】検討２におけるマラセチア菌数の評価結果を示すグラフである。
【図１６】検討２における官能評価３の評価結果を示すグラフである。
【図１７】検討２における官能評価４の評価結果を示すグラフである。
【図１８】検討２における官能評価５の評価結果を示すグラフである。
【図１９】検討２における官能評価６の評価結果を示すグラフである。
【図２０】検討２における官能評価７の評価結果を示すグラフである。
【図２１】検討２における官能評価８の評価結果を示すグラフである。
【図２２】検討２における官能評価９の評価結果を示すグラフである。
【図２３】検討２における官能評価１０の評価結果を示すグラフである。
【発明を実施するための形態】
【００１２】
以下、本発明の実施の形態について、図を参照して詳細に説明する。なお、以下に示す実施形態においては、同一または共通する部分について図中同一の符号を付し、その説明は繰り返さない。
【００１３】
（実施の形態１）
まず、実施の形態１に係る頭皮環境改善装置の構成について説明する。図１〜図３を参照し、頭皮環境改善装置は、筒状のハウジング１と、グリップ２と、頭皮接触体３とを備える。
【００１４】
筒状のハウジング１の一端および他端には、吸込口１１および吹出口１２が形成される。ハウジング１の内部には、吸込口１１から吹出口１２に向かって空気の流れを形成することが可能な内部空間が構成されている。
【００１５】
またハウジング１の内部には、帯電粒子発生部１３と、送風部１４とが配置されている。さらに、ハウジング１の内部には、ヒータ１５と、制御部１６とが配置されている。
【００１６】
帯電粒子発生部１３は、帯電粒子を発生させるためのものである。具体的には、帯電粒子発生部１３は、２対の針状の放電電極と、放電電極の周囲を囲む、２対の円環状の誘電電極とを備えている（不図示）。
【００１７】
帯電粒子発生部１３においては、放電電極と誘電電極との間に電圧が印加されることによってコロナ放電が発生する。該コロナ放電によって放電電極の周囲に正イオンおよび負イオンが発生する。正イオンは、Ｈ＋（Ｈ2Ｏ）ｍ（ｍは任意の自然数）であり、負イオンは、Ｏ2-（Ｈ2Ｏ）m（ｍは０を含む任意の整数）である。
【００１８】
送風部１４は、吹出口１２からハウジング１の外部に向けて、帯電粒子を送出させるためのものであり、吸込口１１から吹出口１２に向かう空気の流れを発生させることができる。本実施の形態においては、軸流ファンである送風部１４を例示するが、これに限定されない。
【００１９】
上記の各部は、図３に示されるように、吸込口１１から吹出口１２に向かって、吸込口１１、送風部１４、帯電粒子発生部１３、および吹出口１２の順に配置されている。
【００２０】
ヒータ１５は、ヒータ１５近傍の空気を加温するためのものである。ヒータ１５は、少なくとも送風部１４と吹出口１２との間に配置され、好ましくは、帯電粒子発生部１３と送風部１４との間に配置される。ヒータ１５の構成は特に限定されず、たとえばハウジング１内に配置された支持板に電熱線を巻き付けた構成を挙げることができる。
【００２１】
制御部１６は、帯電粒子発生部１３、送風部１４、ヒータ１５、および後述する操作部２１と電気的に接続されている。これにより、操作部２１が受けた使用者からの操作に従って、帯電粒子発生部１３、送風部１４、およびヒータ１５の動作を制御することができる。
【００２２】
グリップ２は、使用者が頭皮環境改善装置を利用し易いように、利用者に把持される部分である。本実施の形態において、グリップ２には、使用者が頭皮環境改善装置を動作させるための操作部２１が設けられている。またグリップ２には、不図示の電源コードが連結されている。これにより、頭皮環境改善装置は、外部電源に対して電気的に接続され得る。
【００２３】
頭皮接触体３は、ハウジング１の外部に配置されている。本実施の形態１において、頭皮接触体３のうち少なくとも使用者の頭皮に接触する接触部（図２における棒状部３１の先端部分）は、吹出口１２からハウジング１の外部へと送出される帯電粒子の流路内に位置する。このため、頭皮接触体３は、吹出口１２と頭皮との間、換言すれば、ハウジング１の外部のうちの吸込口１１側ではなく、吹出口１２側に配置される。
【００２４】
本実施の形態において、頭皮接触体３は、複数の棒状部３１を有している。この棒状部３１の先端部分が、使用者の頭皮に接触する接触部となる。このような頭皮接触体３は、頭皮に心地よい刺激を与える第１機能と、頭皮上の毛髪を掻き分けて頭皮から浮かせることにより、頭皮を外部環境に露出させて、毛髪の下の頭皮と吹出口１２から送出される帯電粒子とを接触し易くする第２機能とを有する。
【００２５】
頭皮接触体３とハウジング１とは、一体的に形成されていてもよく、分離可能なように構成されていてもよい。分離可能な構成の場合、たとえば図３に示すように、ハウジング１が、頭皮接触体３の着脱を可能とするような着脱スイッチ１７を備えることが好ましい。
【００２６】
着脱スイッチ１７は、たとえば、頭皮接触体３がハウジング１に装着された場合に押下された状態となり、頭皮接触体３がハウジング１に装着されていない場合に押下されていない状態となることができる。なお、図２は、頭皮接触体３がハウジング１に装着された状態を示しており、図４は、頭皮接触体３がハウジング１に装着されていない状態を示している。
【００２７】
さらに着脱スイッチ１７と制御部１６とを電気的に接続させることにより、頭皮接触体３の装着動作と各部の動作とを連動させることができる。たとえば、着脱スイッチ１７が押下されている場合（頭皮接触体３がハウジング１に装着されている場合）に、制御部１６により、ヒータ１５の駆動を禁止させたり、ヒータ１５による加温の程度を低く制御させたりすることができる。また着脱スイッチ１７が押下されていない場合（頭皮接触体３がハウジング１に装着されていない場合）に、制御部１６により、ヒータ１５の駆動を許可させたりすることができる。
【００２８】
上述のような連動動作によれば、たとえば、頭皮環境改善装置に頭皮接触体３が装着されている場合に、頭皮に送風される空気の温度が高くなり過ぎるのを防止することができる。このような頭皮環境改善装置は、頭皮接触体３が装着されていない状態での比較的高温の温風による毛髪の乾燥と、頭皮接触体３が装着された状態での比較的低温での頭皮ケアとの両機能を有することができる。
【００２９】
頭皮ケアを実施する際の吹出口１２と頭皮との距離は、毛髪を乾燥させる際の吹出口１２と頭皮との距離よりも短くなる可能性が高い。この距離が短い状態において、吹出口１２から送出される空気の温度が高すぎると、やけど等の頭皮の損傷がおこる恐れがあるが、上記構成によれば、このような損傷を防止することができる。
【００３０】
実施の形態１の頭皮環境改善装置は、次のように動作する。まず、グリップ２から延在する不図示の電源コードを外部電源に接続させる。なお頭皮接触体３とハウジング１とが着脱可能な構成の場合には、頭皮接触体３をハウジング１に装着させておく。
【００３１】
次に、頭皮接触体３の棒状部３１が、使用者の頭皮に接触された状態で、操作部２１が操作される。操作部２１が受け付けた操作は、制御部１６に伝達される。制御部１６は、操作部２１が受け付けた操作に従って、帯電粒子発生部１３と、送風部１４とを駆動させる。
【００３２】
送風部１４が駆動することにより、ハウジング１内において、吸込口１１から吹出口１２に向かう空気の流れが発生する。また帯電粒子発生部１３が駆動することにより、ハウジング１内に帯電粒子が発生する。発生した帯電粒子は、送風部１４によって発生した空気の流れに乗って、吹出口１２から外部に送出される。外部に送出された帯電粒子は、徐々に拡散されていく。
【００３３】
ここで頭皮と接触する棒状部３１の先端部分は、帯電粒子の流路内に位置する。このため、ハウジング１の外部に送出された帯電粒子の多くは、棒状部３１の先端部分近傍に向かうことができる。さらに、頭皮接触体３は、上述のように、頭皮上の毛髪を掻き分けて頭皮から浮かせることにより、毛髪の下の頭皮と吹出口１２から送出される帯電粒子とを接触し易くする第２機能とを有する。したがって、棒状部３１の先端部分近傍に送出された帯電粒子は、効率的に、先端部分近傍において露出している頭皮に到達することができる。
【００３４】
以上詳述したように、本実施の形態１に係る頭皮環境改善装置によれば、棒状部３１の先端部分の第１機能によって、頭皮に心地よい刺激を与えることができる。さらに、該先端部分の第２機能によって、先端部分近傍の頭皮を外部に露出させることができ、これにより、外部に露出された頭皮に、効率的に帯電粒子を到達させることができる。このような心地よい刺激が与えられ、かつ多くの帯電粒子が到達した頭皮においては、その頭皮環境が改善されることとなる。
【００３５】
頭皮環境の改善の具体例としては、（１）頭皮の水分量を適切に維持する、（２）頭皮の油分量を適切に維持する、（３）使用者が頭皮の状態を心地よく感じる、（４）マラセチア菌の繁殖を抑制する、および（５）毛髪の育毛・発毛を促進する、等が挙げられる。これらのうち少なくとも一つが改善されれば、頭皮環境を改善できたとみなすことができる。
【００３６】
たとえば上記（１）に関し、表皮である頭皮の水分量が低すぎる場合、頭皮のバリア機能（外的刺激による頭皮の損傷を抑制する頭皮自身の機能）が下がることとなる。これは、頭皮環境として好ましくない状態である。一般的に、皮膚中のセラミドおよびヒアルロン酸などが不足すると、肌の保湿力が低下し、しわやたるみが引き起こされると言われるが、これも皮膚のバリア機能が低下したことが一因である。故に、上記（１）は頭皮環境の改善の一つと言える。特に、多くの帯電粒子が頭皮に到達した場合、頭皮の表面が帯電粒子に覆われることに起因して、頭皮からの水分の蒸散が抑制されると考えられる。
【００３７】
また上記（２）に関し、表皮である頭皮の油分量が低すぎる場合、水分量が低すぎる場合と同様に、頭皮環境として好ましくない状態である。皮脂は、頭皮がバリア機能を発揮するための因子であり、これが不足すると、頭皮のバリア機能が低下するためである。故に、上記（２）は頭皮環境の改善の一つと言える。特に、多くの帯電粒子が頭皮に到達した場合、頭皮の表面が帯電粒子に覆われることに起因して、頭皮からの油分の過剰な損失が抑制されると考えられる。さらに頭皮の油分量は、その量が高すぎる場合もまた、頭皮環境として好ましくない状態である。頭皮のべたつき、においの発生の原因となるためである。
【００３８】
また上記（３）に関し、使用者が頭皮の状態を心地よく感じることは、相対的なものではあるが、重要な要素であると考えられる。たとえば、頭皮をやわらかく感じたり、頭皮があたたかく感じたりすることは、頭皮環境の改善の一つと言える。他の頭皮環境の改善としては、たとえば髪がボリュームアップしたように感じること、並びに、抜け毛の気になる程度、ふけの気になる程度、頭皮のかゆみの気になる程度、白髪の気になる程度（白髪が目立つと感じる程度）、頭皮のにおいの気になる程度、頭皮の分け目の気になる程度（分け目が目立つと感じる程度）、および頭がどんよりと重く感じる程度のそれぞれの減少を感じること、などが挙げられる。
【００３９】
また上記（４）に関し、マラセチア菌は皮膚常在菌であるが、これが過剰に繁殖するとふけの発生や頭皮のかゆみが発生する。これは頭皮環境として好ましくない状態である。故に、上記（４）は頭皮環境の改善の一つと言える。
【００４０】
また上記（５）に関し、毛髪の育毛・発毛の程度が低下すると、薄毛が引き起こされる。薄毛は一般的に望まれない傾向にあり、また毛髪が頭皮を守る機能を有する点を考慮しても、薄毛は頭皮環境として好ましくない状態である。故に、上記（５）は頭皮環境の改善の一つと言える。
【００４１】
本実施の形態の頭皮環境改善装置によれば、上述のような頭皮環境の改善が可能となる。この理由は次のように推察される。
【００４２】
たとえば単に帯電粒子発生部を有するドライヤーの場合、ドライヤーから帯電粒子を含む風が毛髪に向かって送出されるものの、頭皮に向かって送出されることは難しい。何故なら、通常、頭皮は毛髪によって覆われており、このような頭皮に向かって帯電粒子を含む風を単に送出させただけでは、毛髪表面で帯電粒子の多くが消費されてしまい、結果的に、十分な量の帯電粒子を頭皮にまで到達されることが難しいためである。なお、仮にドライヤーの吹出口側に櫛がついていたとしても、櫛は毛髪を梳くための構成を有するに過ぎず、故に、毛髪を頭皮から十分に浮かせて、頭皮を外部環境に露出させることは難しい。
【００４３】
これに対し、本実施の形態の頭皮環境改善装置は、上述のように、頭皮に心地よい刺激を与える第１機能と、頭皮上の毛髪を掻き分けて頭皮から浮かせることにより、毛髪の下の頭皮と吹出口１２から送出される帯電粒子とを接触し易くする第２機能とを有する頭皮接触体３を備える。このため、毛髪によって覆われている頭皮に対して頭皮環境改善装置を使用した場合、頭皮を好適に刺激しつつ、かつ該刺激が与えられている頭皮を外部に露出させることができる。このため、頭皮に対して、心地よい刺激の提供と、充分な量の帯電粒子の導入とを同時に実施することができる。
【００４４】
充分な量の帯電粒子が、好適に刺激されている頭皮に到達することにより、頭皮は好適な水分量を維持することができたり、好適な油分量を維持することができたりするものと考えられる。また、これに伴い、使用者が頭皮の状態を心地よく感じることもできる。
【００４５】
また充分な量の帯電粒子が好適に刺激されている頭皮に到達することにより、マラセチア菌の繁殖を抑制できることが期待される。さらに、十分な量の帯電粒子が好適に刺激されている頭皮に到達することにより、毛髪の育毛・発毛の促進が引き起こされることも期待される。
【００４６】
以上詳述した本実施の形態１の頭皮環境改善装置において、頭皮接触体３の棒状部３１の先端部分（頭皮と接触する一部）と吹出口１２との距離は、１５ｃｍ以下であることが好ましい。これにより、帯電粒子をより高濃度で頭皮に到達させることができる。ただしこの場合、頭皮に到達する送風の温度に注意する必要がある。具体的には、頭皮に到達する送風の温度が５５℃以下となるように、制御部１６によって制御されることが好ましい。
【００４７】
なお、上記距離は、吹出口１２と棒状部３１の先端部分との直線距離であって、最短の直線距離である。この距離は、構成上、１０ｃｍ以上となる。
【００４８】
また本実施の形態１の頭皮環境改善装置において、帯電粒子発生部１３から送出されるイオン濃度は、正イオンおよび負イオン共に、３３０万個／ｃｍ3以上であることが好ましい。３３０万個／ｃｍ3以上の場合、上述の頭皮環境の改善効果をさらに高めることができる。
【００４９】
なお上記イオン濃度は、吹出口１２から気流が送出される方向において、１５ｃｍ離れた位置で計測される値である。イオンの計測は、イオンカウンターにより行うことができる。
【００５０】
また本実施の形態１の頭皮接触体３において、第２機能を好適に有する観点から、棒状部３１は、少なくとも２本以上であることが好ましい。棒状部３１が１本の場合、毛髪を頭皮から掻き上げる行為が十分に行うことができない可能性があるためである。
【００５１】
また棒状部３１は、第１機能を好適に有する観点から、長手方向に椀状に湾曲していることが好ましい。棒状部３１が椀状に湾曲していることにより、直線的な構造に比べ、過剰な力を逃がし、より心地良い刺激を頭皮に与えることができるためである。
【００５２】
また棒状部３１は、長手方向に椀状に湾曲していることにより、第２機能を好適に有することもできる。棒状部３１が椀状に盛り上がる部分を有することにより、該部分においてより好適に髪を頭皮から持ち上げることができるためである。
【００５３】
また本実施の形態１の頭皮環境改善装置において、頭皮接触体３のうち、少なくとも棒状部３１の先端部分は、帯電粒子の流路内であって、該流路の外周近傍に配置されることが好ましい。
【００５４】
ここで、帯電粒子の流路および該流路の外周近傍について、図５を用いながら説明する。図５は、吹出口の外径を説明するための模式的な斜視図である。
【００５５】
まず、外部から吹出口１２を目視した際の吹出口１２の外径（図５において、点線で示す領域）を排気面（図５において、点線で囲む領域）とみなす。図５においては、排気面は、一部が欠けた円形となっている。
【００５６】
この排気面を、吹出口１２からハウジング１の外部側に平行に連続移動させてなる、一部が欠けた円筒状の領域を、帯電粒子の流路とみなす。なお、実際には、帯電粒子は四方に拡散されながら外部に排出されることはいうまでもない。
【００５７】
そして、流路の中心近傍とは、流路が延在する方向（吹出口１２からハウジング１の外部側に延在する方向）から流路を目視した場合の中心近傍であり、流路の外周近傍とは、流路が延在する方向から流路を目視した場合の外周近傍を意味する。
【００５８】
棒状部３１の先端部分が、帯電粒子の流路の中心近傍よりも外周近傍に配置されることが好ましい理由は、次のとおりである。
【００５９】
帯電粒子は、吹出口１２から外部に向けて拡散されながら送出される。このため、流路内の外周近傍における帯電粒子の濃度は、流路内の中心近傍における帯電粒子の濃度よりも低くなる傾向がある。
【００６０】
上記を前提として、棒状部３１の先端部分が帯電粒子の流路内であって中心近傍に配置される場合を仮定する。この場合、頭皮に頭皮接触体３を接触させた状態で、頭皮接触体３を（たとえば１０ｃｍ程度）移動させたとすると、外部に露出する頭皮は、先端部分が現在接触している位置と、該位置から１０ｃｍずれている位置との間の頭皮となる。このとき、高い濃度の帯電粒子が存在する中心近傍の位置と、外部に露出する頭皮との位置には、ずれが生じる。何故なら、先端部分が現在接触している位置が流路の中心近傍であるためである。
【００６１】
一方、棒状部３１の先端部分が帯電粒子の流路の外周近傍に配置される場合を仮定する。この場合には、高い濃度の帯電粒子が存在する流路の中心近傍の位置と、外部に露出する頭皮との位置には、上記の場合に比してずれが小さくなる。何故なら、先端部分が現在接触している位置は流路の外周近傍であり、その近傍に位置している外部に露出する頭皮の位置が、流路の中心近傍となり得るためである。
【００６２】
したがって、棒状部３１の先端部分が帯電粒子の流路の中心近傍よりも外周近傍に配置されることにより、外部に露出する頭皮に対してより効率的に帯電粒子を導入させることができる。
【００６３】
（実施の形態２）
本実施の形態２は、頭皮環境改善装置がさらにカバー体を備える点で、実施の形態１と相違している。本実施の形態では、実施の形態１との相違点について説明し、重複する説明は繰り返さない場合がある。
【００６４】
図６は、実施の形態２の頭皮環境改善装置を示す斜視図である。図６に示されるように、頭皮環境改善装置は、頭皮接触体３を取り囲むカバー体４をさらに備える。カバー体４は、吹出口１２から送出される帯電粒子を、頭皮接触体３と接触する頭皮に導くための流路を形成する機能を有する。
【００６５】
具体的にはカバー体４は、吹出口１２に接続される吹出口側端部４１と、これに対向する外部側端部４２とが開口している略筒状である。特に、吹出口側端部４１から外部側端部４２に向けてカバー体４によって囲まれる領域が大きく拡がる形状を有している。このような構成を有するカバー体４は、頭皮接触体３の機能を阻害することなく、吹出口１２から外部に向けて送出された帯電粒子を含む空気を、頭皮接触体３の棒状部３１の先端にまで効率的に導く風路を構成することができる。
【００６６】
カバー体４は、図６に示されるように頭皮接触体３と一体的に形成されていてもよく、頭皮接触体３と異なる部材として個別に形成されていてもよい。
【００６７】
仮にカバー体４がない場合、帯電粒子を含む空気は、吹出口１２から頭皮に到達するまでの間に自由に拡散することができる。このため、頭皮に到達する帯電粒子の濃度（個／ｃｍ3）は、吹出口１２から外部に送出された直後の帯電粒子の濃度（個／ｃｍ3）よりも小さくなる。
【００６８】
これに対し、カバー体４を備える頭皮環境改善装置によれば、吹出口１２から送出された帯電粒子を含む空気は、カバー体４が構成する風路内に導かれ、該風路の端部近傍の頭皮に到達される。この場合、帯電粒子を含む空気が吹出口１２から頭皮に到達するまでの間に自由に拡散する場合に比して、より高い濃度の帯電粒子を頭皮に到達させることができる。
【００６９】
（実施の形態３）
本実施の形態３は、実施の形態１または実施の形態２に係る頭皮環境改善装置を用いた、頭皮環境改善方法である。当該頭皮環境改善方法は、頭皮接触体３を頭皮に接触させた状態で、帯電粒子を頭皮に送出させる方法である。
【００７０】
図７は、実施の形態３の頭皮環境改善方法を実施する態様を示す模式図である。図８は、実施の形態３の頭皮環境改善方法における頭皮近傍の状態を示す模式図である。
【００７１】
本実施の形態においては、図７に示されるように、頭皮環境改善装置が使用される。これにより、図８に示されるように、頭皮接触体３を頭皮Ｍに接触させることができる。
【００７２】
上述のように、頭皮接触体３は、頭皮に心地よい刺激を与える第１機能と、頭皮上の毛髪を掻き分けて頭皮から浮かせることにより、毛髪の下の頭皮と吹出口１２から送出される帯電粒子とを接触し易くする第２機能とを有する。これにより、頭皮を好適に刺激しつつ、頭皮に効率的に帯電粒子が到達することとなり、もって上述の頭皮環境の改善が可能となる。
【００７３】
上記方法は、たとえば、頭皮環境改善装置の頭皮接触体３の棒状部３１の先端部分を頭皮に接触させた状態で、頭皮上において該先端部分を移動させる。このときの移動は、頭皮上を摺動していく先端部分による刺激を、使用者が心地よいと感じる程度の速度および強さとすることが好ましい。
【００７４】
上記移動により、先端部分が移動した頭皮上に生える毛髪は、頭皮から浮いた状態となる。すなわち、先端部分を移動させない場合に比して、より大きな領域の頭皮上の毛髪が、頭皮から浮いた状態となる。これにより、頭皮のうち、帯電粒子を効率的に到達させる領域を広くすることができる。また、該移動により、頭皮に対してより心地よい刺激を与えることができる。
【実施例】
【００７５】
以下に実施例および比較例を示し、本発明をより具体的に説明するが、本発明はこれらに何ら限定されるものではない。【００７６】
（検討１）
４０歳以上６５歳以下の６名の女性を被験者とし、ランダムに３人ずつ試験区１および試験区２に振り分け、二重盲検クロスオーバー試験を実施した。試験の実施には、機器Ａおよび機器Ｂを用いた。機器Ａは、実施例に係る機器であり、実施の形態１に係る頭皮環境改善装置に相当する。機器Ｂは、比較例用の対照機器であり、実施の形態１に係る頭皮環境改善装置から、帯電粒子発生部１３を除去した装置に相当する。【００７７】
〔試験〕
被験者とは異なる第３者（検査スタッフ）により、試験区１の被験者の右側頭皮に対する第１処理が実施された。具体的には、試験区１の被験者の右側頭皮に対し、機器Ａが備える棒状部の先端部分を接触させた状態で、該先端部分を頭部前方から頭部後方に向けて３秒間かけて移動させた後、先端部分を頭皮から２秒間離間する、という動作が６０回実施された。これにより、試験区１の被験者の右側全体の頭皮に対し、棒状部による刺激と帯電粒子が含まれる温風の送風とが、５分間実施された。【００７８】
上記動作を終了した後、同被験者を安静な状態とするインターバルを６０分間実施した。インターバル終了後、同被験者の左側頭皮に対する第２処理を実施した。左側頭皮に対する第２処理は、機器Ａに代えて機器Ｂを用いた以外は、右側頭皮に対する第１処理と同様とした。これにより、試験区１の被験者の左側全体の頭皮に対し、棒状部による刺激と温風（帯電粒子は含まれない）の送風とが、５分間実施された。【００７９】
表１に機器Ａおよび機器Ｂにおける使用時の各設定条件を示す。なお、表１の温度は、吹出口から１５ｃｍ離れた位置に配置された温度計にて測定される温度である。【００８０】
【表１】
2018042698.tif 000003
【００８１】
以上により、試験区１の被験者において、右側頭皮の全体に対して機器Ａを用いた第１処理が実施され、左側頭皮の全体に対して機器Ｂを用いた第２処理が実施された。【００８２】
一方、試験区２の各被験者に対しては、右側頭皮に対する第１処理において機器Ｂを用い、左側頭皮に対する第２処理において機器Ａを用いた以外は、上述の試験と同様の試験を実施した。すなわち、試験区１の被験者の右側頭皮および試験区２の被験者の左側頭皮における試験が実施例であり、試験区１の被験者の左側頭皮および試験区２の被験者の右側頭皮における試験が比較例である。【００８３】
〔評価〕
試験区１の被験者および試験区２の被験者について、（ａ）第１処理実施直前の右側頭皮の頭皮環境状態、（ｂ）第１処理実施直後の右側頭皮の頭皮環境状態、（ｃ）第２処理実施直前の左側頭皮の頭皮環境状態、および（ｄ）第２処理実施直後の左側頭皮の頭皮環境状態を評価した。【００８４】
試験区１の被験者における（ａ）および試験区２の被験者における（ｃ）の各値の平均値を、実施例（処理前）の値とし、試験区１の被験者における（ｂ）および試験区２の被験者における（ｄ）の各値の平均値を、実施例（処理後）の値とした。また試験区１の被験者における（ｃ）および試験区２の被験者における（ａ）の各値の平均値を、比較例（処理前）の値とし、試験区１の被験者における（ｄ）および試験区２の被験者における（ｂ）の各値の平均値を、比較例（処理後）の値とした。実施例および比較例の各値は、平均値とした。【００８５】
実施例（処理前）、実施例（処理後）、比較例（処理前）および比較例（処理後）における評価項目を以下〔１〕〜〔４〕に列挙する。【００８６】
〔１〕頭皮の水分量
経皮水分蒸散量測定器（「Ｔｅｗａｍｅｔｅｒ  ＴＭ３００」、Courage+Khazaka  electronic社製）を用いて、頭皮の水分蒸散量（ｇ／（ｍ2・hr））を測定した。各被験者の結果を平均して、それを評価結果とした。【００８７】
〔２〕頭皮の油分量
油分計（「Ｓｅｂｕｍｅｔｅｒ  ＳＭ８１５」、Courage+Khazaka  electronic社製）を用いて、頭皮の皮脂分泌量（μｇ／ｃｍ2）を測定した。各被験者の結果を平均して、それを評価結果とした。【００８８】
〔３〕官能評価１：頭皮のやわらかさ
頭皮のやわらかさに関して、各被験者による官能評価を行い、それを平均して評価結果とした。その際の評価基準は以下のとおりである。処理前と処理後とにおいて、各被験者は、下限および上限のみが示された評価バーにおいて、各被験者が「頭皮がやわらかいと感じる」度合いに相当すると考える位置にプロットをした。次に、被験者とは異なる第３者が、各被験者の結果について、評価バーの下限および上限の各値を「０」および「１００」として、各プロットの位置を数値化し、処理前の数値の平均値および処理後の数値の平均値を算出した。【００８９】
〔４〕官能評価２：頭皮のあたたかさ
頭皮のあたたかさに関して、各試験者による官能評価を行い、それを平均して評価結果とした。その際の評価基準は以下のとおりである。処理前と処理後とにおいて、各被験者は、下限および上限のみが示された評価バーにおいて、自身が「頭皮がじんわりあたたかいと感じる」度合いに相当すると考える位置にプロットをした。次に、被験者とは異なる第３者が、各被験者の結果について、評価バーの下限および上限の各値を「０」および「１００」として、各プロットの位置を数値化し、処理前の数値の平均値および処理後の数値の平均値を算出した。次に、得られた処理後の数値（平均値）から、得られた処理前の数値（平均値）を差し引いた値を、算出した。【００９０】
〔評価結果〕
上記〔１〕〜〔４〕の各評価結果を図９〜図１２に示す。図９〜図１２の棒グラフに示されるエラーバーは、標準誤差を意味する。【００９１】
図９は、検討１における頭皮の水分量の評価結果を示すグラフである。比較例においては、処理を経ることによる水分蒸散量の低下の程度が低く、処理の前後での有意差はなかった。一方、実施例においては、処理を経ることによる水分蒸散量の低下の程度が大きく、処理の前後での有意差（ｐ＜０．０５）が確認された。このことから、実施例においては、比較例に比して頭皮の水分蒸散量が少なく、もって頭皮が好適な状態に維持されることが分かった。なおｐ値の算出には、Ｗｉｌｃｏｘｏｎの符号付順位検定を用いた。【００９２】
図１０は、検討１における頭皮の油分量の結果を示すグラフである。比較例においては、処理を経ることによって、皮脂分泌量が大きく低下しており、処理の前後におけるｐ値は、ｐ＜０．２であった。さらに、比較例における処理後の皮脂分泌量は極めて低く、頭皮の適切な油分量が保たれていないことが分かった。一方、実施例においては、処理を経ることによる皮脂分泌量の低下の程度が小さかった。また、比較例における処理前後の差と、実施例における処理前後の差との群間比較におけるｐ値は、ｐ＜０．０５であった。このことから、実施例においては、比較例に比して頭皮の油分量が高く、もって頭皮が好適な状態に維持されることが分かった。なおｐ値の算出には、Ｗｉｌｃｏｘｏｎの符号付順位検定を用いた。【００９３】
図１１は、検討１における官能評価１の結果を示すグラフである。比較例においては、処理の前後における評価の変化はなかった。一方、実施例においては、処理前よりも処理後のほうが、「頭皮がやわらかいと感じる」程度の評価が高く、処理の前後での有意差（ｐ＜０．０５）が確認された。このとこから、実施例においては、比較例に比して頭皮がやわらかいと感じる程度が高く、もって頭皮が好適な状態に維持されることが分かった。なおｐ値の算出には、対応のあるｔ検定を用いた。【００９４】
図１２は、検討１における官能評価２の結果を示すグラフである。実施例における処理前後の差の方が、比較例における処理前後の差よりも大きかった。また、比較例における処理前後の差と、実施例における処理前後の差との群間比較におけるｐ値は、ｐ＜０．２であった。このことから、実施例においては、比較例に比して、処理を経ることによる頭皮のあたたまりをより強く感じることができ、もって頭皮が好適な状態に維持されることがわかった。なおｐ値の算出には、対応のあるｔ検定を用いた。【００９５】
（検討２）
４０歳以上６５歳以下の５９名の女性を被験者とし、ランダムに抽出された２９名をＡ群とし、ランダムに抽出された３０名をＢ群として振り分け、二重盲検並行群間比較試験を実施した。試験の実施には、検討１と同様の機器Ａおよび機器Ｂを用いた。機器ＡはＡ群に使用され、機器ＢはＢ群に使用された。【００９６】
〔試験〕
Ａ群の被験者は、自宅にて自身で洗髪して乾燥させた後、機器Ａを用いて第１処理を実施した。具体的には、被験者は、洗髪して乾燥させた後の自身の頭頂部に対し、機器Ａが備える棒状部の先端部分を接触させた状態で、該先端部分を頭頂部前方から頭頂部後方に向けて３秒間かけて移動させた後、先端部分を頭皮から２秒間離間する、という動作を被験者自身にて６０回実施した。これにより、Ａ群の被験者の頭頂部の頭皮に対し、棒状部による刺激と帯電粒子が含まれる温風の送風とが、５分間実施された。Ａ群の被験者は、１２週間、上記試験を毎日実施した。【００９７】
Ｂ群の被験者は、機器Ａに代えて機器Ｂを用いて、Ａ群の被験者と同様の試験を１２週間毎日実施した。【００９８】
〔評価〕
検討２における評価項目を以下〔５〕〜〔１５〕に列挙する。〔５〕〜〔７〕は、試験開始直前（０週目）、試験開始日から４週間経過後、８週間経過後、１２週間経過後のそれぞれにおいて、検査機関にて検査スタッフにより評価された。〔８〕〜〔１５〕は、試験開始直前（０週目）、試験開始日から４週間経過後、８週間経過後、１２週間経過後のそれぞれにおいて、検査機関にて各被験者により評価された。【００９９】
〔５〕頭皮の水分量
上記〔１〕と同様の方法により、各群のそれぞれの被験者における頭皮の水分蒸散量（ｇ／（ｍ2・hr））を測定した。【０１００】
〔６〕頭皮の油分量
上記〔２〕と同様の方法により、各群のそれぞれの被験者における頭皮の皮脂分泌量（μｇ／ｃｍ2）を測定した。【０１０１】
〔７〕頭皮のマラセチア菌数
綿球を生理食塩水に浸した滅菌綿棒（「メンティップ  病院用綿棒（０−３１９−３２）」、アズワン株式会社製）を用いて、機器Ａまたは機器Ｂから送出される風が当てられた領域の頭皮をこすり、該綿棒を、シードチューブ（「シードチューブ（９−ＭＲ８４）」、栄研化学株式会社製）内の溶液に浸漬させた。このシードチューブ内の溶液を播種用菌液とし、該播種用菌液を寒天培地（「クロモアガー（登録商標）マラセチア／カンジタ培地」、関東化学株式会社）に播種して、培養した。培養後、寒天培地上のマラセチア菌数の測定を行い、各群のそれぞれの被験者におけるマラセチア菌数を評価した。なお、マラセチア菌数の測定は、株式会社ＬＳＩメディエンスにて実施された。【０１０２】
〔８〕官能評価３：髪のボリューム
髪のボリュームに関して、各被験者による官能評価を行い、それを平均して評価結果とした。その際の評価基準は以下のとおりである。各被験者は、下限および上限のみが示された評価バーにおいて、各被験者が「髪がボリュームアップしたと感じる」度合いに相当すると考える位置にプロットをした。次に、検査スタッフが、各被験者の結果について、評価バーの下限および上限の各値を「０」および「１００」として、各プロットの位置を数値化し、Ａ群およびＢ群の各平均値を算出した。【０１０３】
〔９〕官能評価４：抜け毛の程度
抜け毛の程度に関して、各被験者による官能評価を行い、それを平均して評価結果とした。その際の評価方法は、評価バーの指標を「抜け毛が気になる」度合いに変更した以外は、上記〔８〕と同様の方法とした。【０１０４】
〔１０〕官能評価５：ふけの程度
ふけの程度に関して、各被験者による官能評価を行い、それを平均して評価結果とした。その際の評価方法は、評価バーの指標を「ふけが気になる」度合いに変更した以外は、上記〔８〕と同様の方法とした。【０１０５】
〔１１〕官能評価６：頭皮のかゆみ
頭皮のかゆみの程度に関して、各被験者による官能評価を行い、それを平均して評価結果とした。その際の評価方法は、評価バーの指標を「頭皮のかゆみが気になる」度合いに変更した以外は、上記〔８〕と同様の方法とした。【０１０６】
〔１２〕官能評価７：白髪の程度
白髪の程度に関して、各被験者による官能評価を行い、それを平均して評価結果とした。その際の評価方法は、評価バーの指標を「白髪が気になる」度合いに変更した以外は、上記〔８〕と同様の方法とした。【０１０７】
〔１３〕官能評価８：頭皮のにおい
頭皮のにおいの程度に関して、各被験者による官能評価を行い、それを平均して評価結果とした。その際の評価方法は、評価バーの指標を「頭皮のにおいが気になる」度合いに変更した以外は、上記〔８〕と同様の方法とした。【０１０８】
〔１４〕官能評価９：髪の分け目
髪の分け目の程度に関して、各被験者による官能評価を行い、それを平均して評価結果とした。その際の評価方法は、評価バーの指標を「髪の分け目が気になる」度合いに変更した以外は、上記〔８〕と同様の方法とした。【０１０９】
〔１５〕官能評価１０：頭の重さ
頭の重さの程度に関して、各被験者による官能評価を行い、それを平均して評価結果とした。その際の評価方法は、評価バーの指標を「頭がどんよりと重く感じる」度合いに変更した以外は、上記〔８〕と同様の方法とした。【０１１０】
〔評価結果〕
上記〔５〕〜〔１５〕の各評価結果を図１３〜図２３に示す。図１３、１４、１６〜２３の棒グラフに示すエラーバーは、標準誤差を意味する。【０１１１】
図１３は、検討２における頭皮の水分蒸散量の評価結果を示すグラフである。白抜きの棒グラフ（実施例）は、Ａ群の被験者における頭皮の水分蒸散量の変化量であって、各被験者の１２週目の値から０週目の値を減じた値の平均値である。斜線でハッチングされた棒グラフ（比較例）は、Ｂ群の被験者における頭皮の水分蒸散量の変化量であって、各被験者の１２週目の値から０週目の値を減じた値の平均値である。【０１１２】
Ａ群においては、水分蒸散量の変化量がマイナスの値であった。すなわち、実施例においては、１２週目の頭皮における水分蒸散量が、０週目の頭皮における水分蒸散量よりも小さかった。一方、Ｂ群においては、水分蒸散量の変化量がプラスの値であった。すなわち、比較例においては、１２週目の頭皮における水分蒸散量が、０週目の頭皮における水分蒸散量よりも大きかった。さらに、実施例および比較例間には、有意差（ｐ＜０．０５）が確認された。このことから、実施例は、比較例に比して頭皮の水分蒸散量が少なくなっており、もって頭皮が好適な状態に維持されたことが分かった。なおｐ値の算出には、Ｍａｎｎ−ＷｈｉｔｎｅｙのＵ検定を用いた。【０１１３】
図１４は、検討２における頭皮の油分量の評価結果を示すグラフである。白抜きの棒グラフ（実施例）は、Ａ群の被験者における頭皮の油分変化量であって、各被験者の８週目の値から０週目の値を減じた値の平均値である。斜線でハッチングされた棒グラフ（比較例）は、Ｂ群の被験者における頭皮の油分変化量であって、各被験者の８週目の値から０週目の値を減じた値の平均値である。【０１１４】
Ａ群およびＢ群における各油分変化量はそれぞれマイナス値であり、その絶対値はＡ群のほうが大きかった。すなわち、実施例は、比較例に比して、８週目の頭皮における油分量が０週目の頭皮における油分量に対して大きく減少していた。さらに、実施例および比較例間には、有意差（ｐ＜０．０５）が確認された。このことから、実施例は、比較例に比して頭皮の油分量の減少の程度が大きく、もって頭皮が好適な状態に維持されたことが分かった。なおｐ値の算出には、Ｍａｎｎ−ＷｈｉｔｎｅｙのＵ検定を用いた。【０１１５】
図１５は、検討２におけるマラセチア菌数の評価結果を示すグラフである。実線で示す折れ線（実施例）は、Ａ群の被験者における頭皮のマラセチア菌数の０週目からの推移であって、試験開始０週目、４週目、および８週目における各マラセチア菌数の０週目からの変化量の平均値をつないだものである。点線で示す折れ線（比較例）は、Ｂ群の被験者における頭皮のマラセチア菌数の０週目からの推移であって、試験開始０週目、４週目、および８週目における各マラセチア菌数の０週目からの変化量の平均値をつないだものである。【０１１６】
Ａ群におけるマラセチア菌数は、試験開始から８週間経過後に大きく減少（約６４％減）していた。これに対し、Ｂ群におけるマラセチア菌数は、試験開始から８週間経過後においても大きな減少は見られなかった。このことから、実施例は、比較例に比して頭皮のマラセチア菌数の減少の程度が大きく、もって頭皮が好適な状態に維持されたことが分かった。【０１１７】
図１６は、検討２における官能評価３の評価結果を示すグラフである。白抜きの棒グラフ（実施例）は、Ａ群の被験者における官能評価の結果（平均値）であって、０週目における結果および１２週目における結果が示されている。斜線でハッチングされた棒グラフ（比較例）は、Ｂ群の被験者における頭皮の官能評価の結果（平均値）であって、０週目における結果および１２週目における結果が示されている。【０１１８】
実施例および比較例のいずれにおいても、０週目よりも１２週目のほうが、「髪がボリュームアップしたと感じる」度合いが大きく、特に実施例の方がその度合いの変化が大きかった。さらに、１２週目における実施例および比較例の群間比較におけるｐ値は、ｐ＜０．１であった。このことから、実施例においては、比較例に比して、髪のボリュームアップを強く感じる傾向があり、もって頭皮が好適な状態に維持される傾向があることがわかった。なおｐ値の算出には、対応のないｔ検定を用いた。【０１１９】
図１７は、検討２における官能評価４の評価結果を示すグラフである。白抜きの棒グラフ（実施例）は、Ａ群の被験者における官能評価の結果であって、各被験者の１２週目の評価結果の値から０週目の評価結果の値を減じた値の平均値である。斜線でハッチングされた棒グラフ（比較例）は、Ｂ群の被験者における官能評価の結果であって、各被験者の１２週目の評価結果の値から０週目の評価結果の値を減じた値の平均値である。【０１２０】
Ａ群における官能評価の変化の程度（ＶＡＳ値変化量）の平均値は−１５．０程度であるのに対し、Ｂ群におけるＶＡＳ値変化量の平均値は−７．０程度であった。さらに、実施例および比較例の群間比較におけるｐ値は、ｐ＜０．２であった。このことから、実施例においては、比較例に比して、抜け毛が気になる度合いの軽減を強く感じる傾向があり、もって頭皮が好適な状態に維持される傾向があることが分かった。なおｐ値の算出には、対応のないｔ検定を用いた。なおＶＡＳは、Ｖｉｓｕａｌ  Ａｎａｌｏｇｕｅ  Ｓｘａｌｅを意味する。【０１２１】
図１８は、検討２における官能評価５の評価結果を示すグラフである。白抜きの棒グラフ（実施例）は、Ａ群の被験者における官能評価の結果（平均値）であって、０週目における結果および１２週目における結果が示されている。斜線でハッチングされた棒グラフ（比較例）は、Ｂ群の被験者における頭皮の官能評価の結果（平均値）であって、０週目における結果および１２週目における結果が示されている。【０１２２】
実施例および比較例のいずれにおいても、０週目よりも１２週目のほうが、「ふけが気になる」度合いが小さく、特に、実施例の方がその度合いの変化が大きかった。さらに、１２週目における実施例および比較例の群間比較におけるｐ値は、ｐ＜０．２であった。このことから、実施例においては、比較例に比して、ふけが気になる度合いの軽減を強く感じる傾向があり、もって頭皮が好適な状態に維持される傾向があることがわかった。なおｐ値の算出には、対応のないｔ検定を用いた。【０１２３】
図１９は、検討２における官能評価６の評価結果を示すグラフである。白抜きの棒グラフ（実施例）は、Ａ群の被験者における官能評価の結果（平均値）であって、０週目における結果および１２週目における結果が示されている。斜線でハッチングされた棒グラフ（比較例）は、Ｂ群の被験者における頭皮の官能評価の結果（平均値）であって、０週目における結果および１２週目における結果が示されている。【０１２４】
実施例および比較例のいずれにおいても、０週目よりも１２週目のほうが、「頭皮のかゆみが気になる」度合いが小さく、特に、実施例の方がその度合いの変化が大きかった。さらに、１２週目における実施例および比較例の群間比較におけるｐ値は、ｐ＜０．０５であり、有意差が確認された。このことから、実施例においては、比較例に比して、頭皮のかゆみが気になる度合いの軽減を強く感じることができ、もって頭皮が好適な状態に維持されることがわかった。なおｐ値の算出には、対応のないｔ検定を用いた。【０１２５】
図２０は、検討２における官能評価７の評価結果を示すグラフである。白抜きの棒グラフ（実施例）は、Ａ群の被験者における官能評価の結果（平均値）であって、０週目における結果および１２週目における結果が示されている。斜線でハッチングされた棒グラフ（比較例）は、Ｂ群の被験者における頭皮の官能評価の結果（平均値）であって、０週目における結果および１２週目における結果が示されている。【０１２６】
実施例および比較例のいずれにおいても、０週目よりも１２週目のほうが、「白髪が気になる」度合いが小さく、特に、実施例の方がその度合いの変化が大きかった。さらに、１２週目における実施例および比較例の群間比較におけるｐ値は、ｐ＜０．１であった。このことから、実施例においては、比較例に比して、白髪が気になる度合いの軽減を強く感じる傾向があり、もって頭皮が好適な状態に維持される傾向があることがわかった。なおｐ値の算出には、対応のないｔ検定を用いた。【０１２７】
図２１は、検討２における官能評価８の評価結果を示すグラフである。白抜きの棒グラフ（実施例）は、Ａ群の被験者における官能評価の結果（平均値）であって、０週目における結果および１２週目における結果が示されている。斜線でハッチングされた棒グラフ（比較例）は、Ｂ群の被験者における頭皮の官能評価の結果（平均値）であって、０週目における結果および１２週目における結果が示されている。【０１２８】
実施例および比較例のいずれにおいても、０週目よりも１２週目のほうが、「頭皮のにおいが気になる」度合いが小さく、特に、実施例の方がその度合いの変化が大きかった。さらに、１２週目における実施例および比較例の群間比較におけるｐ値は、ｐ＜０．１であった。このことから、実施例においては、比較例に比して、頭皮のにおいが気になる度合いの軽減を強く感じる傾向があり、もって頭皮が好適な状態に維持される傾向があることがわかった。なおｐ値の算出には、対応のないｔ検定を用いた。【０１２９】
図２２は、検討２における官能評価９の評価結果を示すグラフである。白抜きの棒グラフ（実施例）は、Ａ群の被験者における官能評価の結果（平均値）であって、０週目における結果および１２週目における結果が示されている。斜線でハッチングされた棒グラフ（比較例）は、Ｂ群の被験者における頭皮の官能評価の結果（平均値）であって、０週目における結果および１２週目における結果が示されている。【０１３０】
実施例および比較例のいずれにおいても、０週目よりも１２週目のほうが、「分け目が気になる」度合いが小さく、特に、実施例の方がその度合いの変化が大きかった。さらに、１２週目における実施例および比較例の群間比較におけるｐ値は、ｐ＜０．１であった。このことから、実施例においては、比較例に比して、分け目が気になる度合いの軽減を強く感じる傾向があり、もって頭皮が好適な状態に維持される傾向があることがわかった。なおｐ値の算出には、対応のないｔ検定を用いた。【０１３１】
図２３は、検討２における官能評価１０の評価結果を示すグラフである。白抜きの棒グラフ（実施例）は、Ａ群の被験者における官能評価の結果であって、各被験者の１２週目の評価結果の値から０週目の評価結果の値を減じた値の平均値である。斜線でハッチングされた棒グラフ（比較例）は、Ｂ群の被験者における官能評価の結果であって、各被験者の１２週目の評価結果の値から０週目の評価結果の値を減じた値の平均値である。【０１３２】
Ａ群における官能評価の変化の程度（ＶＡＳ値変化量）の平均値は−１７．５程度であるのに対し、Ｂ群におけるＶＡＳ値変化量の平均値は−８．０程度であった。さらに、実施例および比較例の群間比較におけるｐ値は、ｐ＜０．１であった。このことから、実施例においては、比較例に比して、頭がどんよりと思いと感じる度合いの軽減を強く感じる傾向があり、もって頭皮が好適な状態に維持される傾向があることが分かった。なおｐ値の算出には、対応のないｔ検定を用いた。【０１３３】
以上、本発明の実施の形態および実施例について説明したが、今回開示された実施の形態および実施例はすべての点で例示であって制限的なものではない。本発明の範囲は請求の範囲によって示され、請求の範囲と均等の意味および範囲内でのすべての変更が含まれる。
【符号の説明】
【０１３４】
１  ハウジング、２  グリップ、３  頭皮接触体、４  カバー体、１１  吸込口、１２  吹出口、１３  帯電粒子発生部、１４  送風部、１５  ヒータ、１６  制御部、１７  着脱スイッチ、２１  操作部、３１  棒状部、４１  吹出口側端部、４２  外部側端部。
【図１】
2018042698.tif 000004
【図２】
2018042698.tif 000005
【図３】
2018042698.tif 000006
【図４】
2018042698.tif 000007
【図５】
2018042698.tif 000008
【図６】
2018042698.tif 000009
【図７】
2018042698.tif 000010
【図８】
2018042698.tif 000011
【図９】
2018042698.tif 000012
【図１０】
2018042698.tif 000013
【図１１】
2018042698.tif 000014
【図１２】
2018042698.tif 000015
【図１３】
2018042698.tif 000016
【図１４】
2018042698.tif 000017
【図１５】
2018042698.tif 000018
【図１６】
2018042698.tif 000019
【図１７】
2018042698.tif 000020
【図１８】
2018042698.tif 000021
【図１９】
2018042698.tif 000022
【図２０】
2018042698.tif 000023
【図２１】
2018042698.tif 000024
【図２２】
2018042698.tif 000025
【図２３】
2018042698.tif 000026
【国際調査報告】
2018042698.tif 000027
2018042698.tif 000028
2018042698.tif 000029
2018042698.tif 000030